(57)【要約】【課題】構造を複雑化せずに施工性を簡易にし、安全な手乾燥装置及び手乾燥装置付き洗面台を得る。【解決手段】本体１と、本体１内に設けられ、非接触電力伝送により本体１外の給電装置３から伝送された電力を受電する受電装置２と、本体１内に設けられ、受電装置２で受電した電力を電源として気流を発生させる高圧空気流発生装置１０と、高圧空気流発生装置１０からの気流を本体１外に吹き出す、本体１に設けられたノズル１５と、本体１内に設けられ、受電装置２で受電した電力により高圧空気流発生装置１０の動作を制御する制御回路１７とを備えた。【選択図】図１
2014171666.tif 000002
【特許請求の範囲】
【請求項１】
本体と、
前記本体内に設けられ、非接触電力伝送により前記本体外の給電装置から伝送された電力を受電する受電装置と、
前記本体内に設けられ、前記受電装置で受電した電力を電源として気流を発生させる気流発生装置と、
前記気流発生装置からの気流を前記本体外に吹き出す、前記本体に設けられたノズルと、
前記本体内に設けられ、前記受電装置で受電した電力を電源として前記気流発生装置の動作を制御する制御回路とを備えた
ことを特徴とする手乾燥装置。
【請求項２】
請求項１記載の手乾燥装置と、前記給電装置とを備えた
ことを特徴とする手乾燥装置付き洗面台。
【請求項３】
前記給電装置は、洗面台において前記手乾燥装置が設置される側と反対側に設置されている
ことを特徴とする請求項２記載の手乾燥装置付き洗面台。
【発明の詳細な説明】
【技術分野】
【０００１】
本発明は、手乾燥装置及び手乾燥装置付き洗面台に関するものである。
【背景技術】
【０００２】
従来の手乾燥装置として、例えば「本体２内に設けた送風手段４と、本体２内に送風空気を取り込む吸込口６と、前記送風手段４からの送風空気を吹き出す吹出しノズル５を設けた洗面台２６のカウンター２９上部で使用する手乾燥装置１において、この手乾燥装置１の本体２を固定し荷重を下面で受けて支える略Ｌ字形の固定板１１Ａと、この固定板１１Ａの裏面に接着部Ａ１２Ａとこの接着部Ａ１２Ａに対応する形で壁面に設けた接着部Ｂ１３Ａからなる接着手段１４Ａを設けた」というものがある（例えば、特許文献１参照）。そして、この手乾燥装置では、本体に設けた電源コードを、壁面のコンセントに差し込むことで電源からの電力が供給されるようになっている。
【先行技術文献】
【特許文献】
【０００３】
【特許文献１】特開２００２−１７７１６４号公報（［００３４］、［００３５］）
【発明の概要】
【発明が解決しようとする課題】
【０００４】
一般的な手乾燥装置は、手洗いの後に手を乾燥させる本来の目的から、洗面台近傍に設置される。洗面台は、手洗い後の飛沫で通常、濡れた状態にあり、洗面ボウルには水が溜められている状態もある。また、特に自動水栓の場合は、異物などが近傍に落下すると開栓されて通水するため、洗面ボウルに水が溜められた状態と同様になる。
【０００５】
一方、手洗いの直後にいつでも手乾燥装置を使用者が使えるように、少なくとも日中において手乾燥装置は常に通電状態にある。このような設置環境にあっては、本体が常に通電状態にあることから、濡れた状態の洗面台や洗面ボウルに手乾燥装置が落下した場合、感電する恐れがある。つまり、手乾燥装置が落下した際に電源コードが付いたままの状態で制御回路に電力が供給されていると、電源コード接続部分や本体内に設けた制御回路の接続部分等が濡れて漏電や感電の恐れがある。
【０００６】
このため、このようなことが起こらないよう、手乾燥装置の本体を近傍の壁や洗面台に強固に固定しておく必要がある。よって、特許文献１のような従来の手乾燥装置では、本体を設置するために洗面台やその壁面に穴を開け、その穴を介して固定具で固定しなければならず、施工性が悪いという問題があった。
【０００７】
具体的な固定方法として、特許文献１ではＬ字型や逆Ｔ字型の固定板を洗面台壁面や洗面台面に接着剤や両面テープで接着し、その固定板と手乾燥装置とを金具で固定している。しかしながら、固定板の接着点から離れた位置で本体に力が加わると、固定板にも大きな回転力がかかり、本体が固定板と共に洗面台から外れて転倒する可能性がある。また洗面台に接着された固定板から本体のみが外れて転倒する可能性もある。このように転倒した場合には、依然として漏電や感電の問題があり、特許文献１では、漏電や感電を防止する上での確実性が乏しいという問題があった。
【０００８】
本発明は上記の課題を解決するためになされたものであり、構造を複雑化せずに施工性を簡易にし、安全な手乾燥装置及び手乾燥装置付き洗面台を提供することを目的とする。
【課題を解決するための手段】
【０００９】
本発明に係る手乾燥装置は、本体と、本体内に設けられ、非接触電力伝送により本体外の給電装置から伝送された電力を受電する受電装置と、本体内に設けられ、受電装置で受電した電力を電源として気流を発生させる気流発生装置と、気流発生装置からの気流を本体外に吹き出す、本体に設けられたノズルと、本体内に設けられ、受電装置で受電した電力を電源として気流発生装置の動作を制御する制御回路とを備えたものである。
【発明の効果】
【００１０】
本発明によれば、構造を複雑化せずに施工性を簡易にし、また、本体が転倒して洗面台や洗面ボウルに落下しても、漏電や感電を防ぐことが可能な安全な手乾燥装置を得ることができる。
【図面の簡単な説明】
【００１１】
【図１】本発明の実施の形態１における手乾燥装置付き洗面台周囲の概略側断面図である。
【図２】本発明の実施の形態１における手乾燥装置の側断面図である。
【発明を実施するための形態】
【００１２】
実施の形態１．
図１は、本発明の実施の形態１における手乾燥装置付き洗面台周囲の概略側断面図である。図２は、本発明の実施の形態１における手乾燥装置の側断面図である。図２の矢印は空気の流れを示している。
手乾燥装置は、本体１内に、モーター１０ａと、モーター１０ａによって回転するターボファン１０ｂとを備えた高圧空気流発生装置１０と、高圧空気流発生装置１０の動作を制御する制御回路１７とが組み込まれた構成を有する。本体１は、一部開放されているものの両端が閉塞された全体略筒形状に構成されており、筒形状部分の上端部は使用者側に略水平方向に突出し、その突出した部分の下面には、高圧空気流発生装置１０で生成された高圧空気流を手挿入空間１８に吹き出すためのノズル１５が形成されている。
【００１３】
また、本体１には、吸気口１１と、吸気口１１から取り入れた空気を高圧空気流発生装置１０に導く吸気風路１２と、高圧空気流発生装置１０で生成された高圧空気流をノズル１５に導く排気風路１４とが形成されている。そして、吸気風路１２にはエアフィルター１３が配置されている。また、本体１においてノズル１５の奥には、手を洗った使用者が手を手乾燥装置に近づけたことを検知するためのセンサー１６が配置されている。このセンサー１６で、使用者の手が手乾燥装置のノズル１５から所定の範囲に存在することが検知されると、高圧空気流発生装置１０が駆動される。
【００１４】
このように構成された手乾燥装置は洗面台７上に設置され、ノズル１５の下部から洗面台７の洗面ボウル８とによって囲まれる領域が手挿入空間１８となっている。つまり、手挿入空間１８は、使用者側（洗面ボウル８側）の前方と両側方とが開放した空間となっている。また、その手挿入空間１８は、手を差し出した状態で違和感や不安感を抱くことのない、目視可能の状態で自由に手を抜き差しできる幅と高さ及び奥行きを有している。
【００１５】
手挿入空間１８に手を挿入すると、ノズル１５の奥に取り付けられたセンサー１６が手を検知し、高圧空気流発生装置１０が駆動する。これにより、吸気口１１から外部空気が吸気され、その吸い込まれた空気が、吸気風路１２を通って、エアフィルター１３を介して高圧空気流発生装置１０に流入して高圧化される。高圧空気流発生装置１０で生成された高圧空気流は、排気風路１４を通ってノズル１５に達し、ノズル１５で高速化され、水分を吹き飛ばすのに十分な乾燥用作動空気流としての高速空気流を手挿入空間１８に向けて吹き出す。このようにして手挿入空間１８に吹き出された高速空気流により、手に付着した水滴が除去される。
【００１６】
手挿入空間１８に挿入された手から吹き飛ばされた水滴は、手挿入空間１８下方の洗面ボウル８に回収され、洗面ボウル８内の排水口９より排水される。洗面ボウル８に回収された水滴は排水口９より排水されるため、従来の手乾燥装置のようなドレン容器を清掃するといった作業を排除でき、メンテナンス性を向上することができる。
【００１７】
また、本実施の形態１の特徴的な構成として、本体１内の底面に受電装置２が内蔵されている。また、手乾燥装置が設置された洗面台７において、手乾燥装置が設置された側と反対側の面には、手乾燥装置に給電するための給電装置３が設置されている。給電装置３は、洗面台７内の電源コンセント（図示せず）に電源線６で接続される。給電装置３は給電コイル４及び給電回路５を備えている。
【００１８】
このように構成された手乾燥装置では、給電装置３は電源線６を通じて常時、通電状態にある。そして、給電装置３内の給電回路５を通じて給電コイル４に電流が流れ、電磁誘導の効果により、給電コイル４で発生する磁束を媒介して本体１内の受電装置２に起電力が発生する。この起電力を本体１の電源として利用する。なお、上記では電磁誘導方式のワイヤレス給電について説明したが、電磁界共鳴方式でもよく、非接触電力伝送により給電装置３から受電装置２に給電できる方式であればなんでもよい。
【００１９】
そして、何らかの外力により手乾燥装置の本体１が倒れた場合、本体１の底面は洗面台７から離れることになり、給電コイル４と受電装置２との距離が離れる。このため、受電装置２には起電力が発生しなくなり、本体１の通電が停止する。このように本体１に通電がなされないため、洗面台７や洗面ボウル８が濡れていても、本体１からの漏電及び感電の原因になることがない。このため、安全な手乾燥装置を得ることができる。また、本体１には本体１外部に繋がる電源線がないため、意匠性が高いと共に、洗面台７に付着した洗剤成分で電源線が腐食するようなこともない。
【００２０】
このように、手乾燥装置の本体１が仮に倒れても、漏電及び感電の危険性がないため、本体１が倒れるほどに特段の外力が働かない使用環境では、必ずしも本体１を洗面台７に固定する必要がなく、施工性を簡易とすることができる。また、子供などの悪戯が懸念される場合は、本体１の底面と洗面台７とを固定してもよいが、その場合も、必ずしも強固な固定手段を用いなくてもよく、両面テープ等の簡易な固定手段を用いて固定すればよい。
【００２１】
なお、本発明は手乾燥装置における受電装置２以外の構成、例えば本体１の形状や各部の配置位置等については図１及び図２に示したものに限定されたものではない。本発明は、要は、手乾燥装置を駆動するための電力供給が、電源側から非接触電力伝送により行われる構成を備えていればよい。
【符号の説明】
【００２２】
１  本体、２  受電装置、３  給電装置、４  給電コイル、５  給電回路、６  電源線、７  洗面台、８  洗面ボウル、９  排水口、１０  高圧空気流発生装置、１０ａ  モーター、１０ｂ  ターボファン、１１  吸気口、１２  吸気風路、１３  エアフィルター、１４  排気風路、１５  ノズル、１６  センサー、１７  制御回路、１８  手挿入空間。
【図１】
2014171666.tif 000003
【図２】
2014171666.tif 000004